(57)【要約】【課題】除湿機の、凝縮器を通る排気風により室内温度が上昇するという課題があり、室内の温度上昇を低減することが要求されている。【解決手段】冷凍サイクルの蒸発器２の下位に凝縮器３を配置し、蒸発器２で凝縮した結露水２１を、凝縮器３に滴下することにより、凝縮器３を通る室内空気の温度上昇を抑えることができ、また回動水受部７により蒸発器２で発生した結露水を滴下せずに排水タンク１４に導くことにより、除湿機または局所冷房機として使用することができる。【選択図】  図１
2004197991.tif 000002
【特許請求の範囲】
【請求項１】
本体内に、蒸発器、凝縮器、圧縮機、減圧器からなる冷凍サイクルを備え、前記蒸発器の下位に前記凝縮器を設けて前記蒸発器からの結露水が前記凝縮器に滴下可能に配置するとともに、結露水の遮断または通過を選択できる水量調整手段を設けてなる多機能除湿機。
【請求項２】
水量調整手段に回動水受部を設けてなる請求項１記載の多機能除湿機。
【請求項３】
水量調整手段は、凝縮器へ滴下する結露水量を多段階または無段階に調整可能とした請求項１または２記載の多機能除湿機。
【請求項４】
室内の温度と湿度を検出する温度センサおよび湿度センサと、この温度センサと湿度センサの検出信号を受けて水量調整手段を制御する制御部を有してなる請求項３記載の多機能除湿機。
【請求項５】
蒸発器に通風する第１の送風手段と、凝縮器に通風する第２の送風手段を有し、第１の送風手段と第２の送風手段を上下に重ねて配した請求項１記載の多機能除湿機。
【請求項６】
第２の送風手段の吹出側に風路変更手段を設け、この風路変更手段により風路を切り換えて蒸発器に送風可能とした請求項５記載の多機能除湿機。
【発明の詳細な説明】
【０００１】
【発明の属する技術分野】
本発明は、冷凍サイクルを搭載した多機能除湿機に関する。
【０００２】
【従来の技術】
従来、この種の多機能除湿機は、室内の除湿と局所冷房を使い分けることのできるものが知られている（例えば、特許文献１参照）。
【０００３】
以下、その多機能除湿機について図９〜図１１を参照しながら説明する。
【０００４】
図９に示すように、多機能除湿機本体１０１内の左右側面に凝縮器１０２と蒸発器１０３を設け、凝縮器１０２と蒸発器１０３の内側にそれぞれ凝縮器側送風機１０４と蒸発器側送風機１０５を設けている。また、凝縮器側送風機１０４の下方には圧縮機１０６を配置し、蒸発器１０３の下には露受皿１０７と水受容器１０８が連通して配設されている。凝縮器側送風機１０４と蒸発器側送風機１０５の間に仕切板１１２を設けて、本体１０１内を凝縮器側と蒸発器側とに分割している。
【０００５】
また、図１０に示すように、本体１０１の両側面には凝縮器側吸込口１１３と蒸発器側吸込口１１４を設け、本体１０１の天面には凝縮器側吹出口１１５と蒸発器側吹出口１１６を設けている。
【０００６】
以上のような構成において、図１１に示すように、圧縮機１０６から吐出された冷媒が凝縮器１０２、減圧器１１７、蒸発器１０３、圧縮機１０６と循環するときに、冷媒は凝縮器１０２で放熱（凝縮）し、蒸発器１０３で吸熱（蒸発）する。この際、凝縮器側送風機１０４により吸い込まれた室内空気は凝縮器１０２を通過する時に加熱され、凝縮器側吹出口１１５から暖気として吹出される。一方、蒸発器側送風機１０５により吸い込まれた室内空気は、蒸発器１０３を通過する時に冷却され、蒸発器側吹出口１１６から除湿された冷気として吹きだされ、室内を除湿することができ、さらに局所的に冷風を供給できるものである。
【０００７】
また室内温度が低温になった場合には、蒸発器１０３の温度が低下し、蒸発器１０３に霜が付着する。その場合には２方弁１２０を開放し、圧縮機１０６から吐出された高圧高温ガス冷媒が２方弁１２０を通過し、蒸発器１０３に供給され、付着した霜を溶かす（デフロスト）こととなり、霜が溶ければ配管温度センサー（図示せず）等による蒸発器１０３の温度を検知し、霜が溶けたと判断すれば、２方弁１２０を閉鎖し、通常の運転をおこなうことができるものである。
【０００８】
【特許文献１】
特開２０００−３２０８６０号公報
【０００９】
【発明が解決しようとする課題】
このような従来の多機能除湿機では、凝縮器側吹出口より排出する暖気が室内温度を上昇させるという課題があり、室内の温度上昇を抑えて冷風を供給することが要求されている。
【００１０】
また、除湿機能と冷風機能を共に効率良く実現できないという課題があり、除湿と冷風機能も高効率で実現できることが要求されている。
【００１１】
また室内の温度・湿度に合わせて除湿と冷風を使い分けるのが難しいという課題があり、室内の温度・湿度に応じた適正な機能を自動的に行うことが要求されている。
【００１２】
また冷凍サイクルに２つの送風機を備えているため本体厚さが大きくなるという課題があり、薄型化することが要求されている。
【００１３】
また除霜対策として２方弁を使うと部品点数が増えて高価になるという課題があり、安価に除霜対策ができることが要求されている。
【００１４】
本発明は、このような従来の課題を解決するものであり、局所的に冷房する場合には部屋の温度上昇を抑制することができ、また効率良く除湿機能と局所冷房機能を使い分けることができ、また室内の温度・湿度に対応した適性な運転モードが自動的に選択でき、また本体を薄型化することができ、また低温時の除霜対策を安価に実現できる多機能除湿機を提供することを目的としている。
【００１５】
【課題を解決するための手段】
本発明の除湿機は上記目的を達成するために、本体内に、蒸発器、凝縮器、圧縮機、減圧器からなる冷凍サイクルを備え、前記蒸発器の下位に前記凝縮器を設けて前記蒸発器からの結露水が前記凝縮器に滴下可能に配置するとともに、結露水の遮断または通過を選択できる水量調整手段を設けたものである。
【００１６】
本発明によれば、局所的に冷房する場合には部屋の温度上昇を抑制することができる多機能除湿機が得られる。
【００１７】
また他の手段は水量調節手段を回転ダンパーとしたものである。そして本発明によれば、部屋の温度上昇を抑制できる局所冷房を簡易な構造で実現する多機能除湿機が得られる。
【００１８】
また他の手段は、水量調整手段が、凝縮器へ滴下する結露水量を多段階または無段階に調整可能とすることにより、凝縮器に散布する結露水量を調節可能としたものである。
【００１９】
そして本発明によれば、効率良く除湿機能と局所冷房機能を使い分けることができる多機能除湿機が得られる。
【００２０】
また他の手段は、蒸発器に通風する第１の送風手段と、凝縮器に通風する第２の送風手段を有し、第１の送風手段と第２の送風手段を上下に重ねて配したものである。そして本発明によれば、本体の厚み巾を薄くできる多機能除湿機が得られる。
【００２１】
また他の手段は、第２の送風手段の吹出風路に風路変更手段を設け、この風路変更手段により風路を切り換えて蒸発器に送風可能としたものである。
【００２２】
そして本発明によれば、低温時の除霜対策を安価に実現できる多機能除湿機が得られる。
【００２３】
【発明の実施の形態】
請求項１記載の発明は、本体内に、蒸発器、凝縮器、圧縮機、減圧器からなる冷凍サイクルを備え、前記蒸発器の下位に前記凝縮器を設けて前記蒸発器からの結露水が前記凝縮器に滴下可能に配置するとともに、結露水の遮断または通過を選択できる水量調整手段を設けたものであり、蒸発器で凝縮した結露水を水量調節手段により凝縮器に滴下することにより排気口より排出される温風の排気温度を低減して室内の温度上昇を抑制するとともに、水量調節手段により結露水を凝縮器に滴下しないようにした場合は通常の除湿機として使用できるという作用を有する。
【００２４】
また、水量調整手段に回転ダンパーを設けることにより、簡易な構造で結露水の遮断または通過を選択できるという作用を有する。
【００２５】
また、水量調整手段は、凝縮器へ滴下する結露水量を多段階または無段階に調整可能とすることにより、凝縮器に散布する結露水量を微調節することが可能となり、室内の温湿度条件に合わせてきめ細かく室内温度上昇および除湿量の調節が可能となる作用を有する。
【００２６】
また、室内の温度と湿度を検出する温度センサおよび湿度センサと、この温度センサと湿度センサの検出信号を受けて水量調整手段を制御する制御部を有することにより、水量調節手段を室内温度と室内湿度の検出データ−により自動で調整して凝縮水に滴下する結露水量を調節することにより室内の温湿度条件に合わせて、室内の湿度低減または温度上昇を調節することが可能となる作用を有する。
【００２７】
また、蒸発器に通風する第１の送風手段と、凝縮器に通風する第２の送風手段を有し、第１の送風手段と第２の送風手段を上下に重ねて配することにより、送風手段を本体内に縦長スリムにして収納できるという作用を有する。
【００２８】
また、第２の送風手段の吹出風路に風路変更手段を設け、この風路変更手段により風路を切り換えて蒸発器に送風可能とすることにより、蒸発器に霜が付着した場合に排気口の温風を一部分流させ、蒸発器に供給することにより、除霜することができる作用を有する。
【００２９】
以下、本発明の実施例について図面を参照しながら説明する。
【００３０】
【実施例】
（実施例１）
図１〜図３に示すように、本体１内の一側面に蒸発器２と凝縮器３を間隔を設けて上下に重なるように配置し、蒸発器２の側面に蒸発器側送風機４を設け、凝縮器３の側面に凝縮器側送風機５を配設している。蒸発器２と凝縮器３の間には回動水受板７を設け、回動水受部７を操作するための可動つまみ９を本体１の外面に設けている。回動水受板７で受けた水滴を集めるための蒸発器側水受皿８を斜め下方の配し、また凝縮器３の下方に凝縮器側水受皿１０を設け、蒸発器側水受皿８から凝縮器側水受皿１０へ水滴を案内する連通ホース１１を設け、さらに凝縮器側水受皿１０の下方に着脱自在の排水タンク１４を収納している。なお、本体１内の後方下部に圧縮機６を設け、本体１内の上部には圧縮機６と送風機を駆動制御する電装部１５を収納し、本体１の前面上部に蒸発器側吹出口１８を設け、本体１の天面に凝縮器側吹出口１９を設けている。
【００３１】
ここで、蒸発器側送風機４により吸い込まれた室内空気は蒸発器２を通過する時に冷却され、蒸発器側吹出口１８から冷気として前方に吹きだされて局所冷房が行われる。凝縮器側送風機５により吸い込まれた室内空気は凝縮器３を通過する時に加熱され、凝縮器側吹出口１９から暖気として上方に吹き出される。また図４に示すように可動つまみ９を操作することにより、回動水受板７の角度を調整して蒸発器２で生じた水滴を凝縮器３へそのまま滴下するか、この水滴を途中で受けて蒸発器側水受皿８に導くかを選択できるようになっている。
【００３２】
上記構成において、局所冷房を行いながら室内湿度も下げる除湿運転を行う場合は、可動つまみ９により回動水受部７を水平方向に回動して蒸発器２で結露した結露水２１を集めて蒸発器側水受皿８に導き、連通ホース１１を介して凝縮器側水受皿１０を通し、排水タンク１４に貯える。このときは室内温度が相対的に高くなる。次に局所冷房を行いながら室内の温度上昇を抑制したい場合は、可動つまみ９により回動水受部７を垂直に立てて蒸発器２で結露した結露水２１を凝縮器３に滴下する。ここで凝縮器３を通過時に加熱される室内空気は、結露水２１とも接触するため蒸発熱が奪われ、室内空気の温度上昇は抑制され、凝縮器側吹出口１９より排出される。
【００３３】
例えば１日１０Ｌを除湿できる消費電力２４０Ｗの除湿機で比較すると、回動水受部７を水平方向に設置した場合に比べて垂直方向に設定した場合は、凝縮器側吹出口１９からの吹出温度は約４．５度低減する結果を得ている。また図２に示すように蒸発器側吹出口１８を本体１の前方に設けることにより、回動水受部７の回動位置にかかわらず局所冷房として快適な涼感が得られる。
【００３４】
なお、本発明は、水量調節手段として回動水受部７を用いているが、凝縮器３に供給する結露水２１の水量を調整する手段として２方向へ配分する２方弁を用いても同様の効果が得られる。
【００３５】
また、局所冷房のみ行う運転時は、凝縮器２と蒸発器３との間が連通しているため、蒸発器側送風機４と凝縮器側送風機５の送風量が大幅に異なる場合は、蒸発器側吸込口１６から吸い込んだ室内空気が蒸発器２を通って凝縮器側送風機５に吸引されるのを防ぎ、また均等に水滴を供給するために、図５に示すように凝縮器２と蒸発器３の間を仕切る開孔板２２を設けるようにしてもよい。
【００３６】
（実施例２）
図６に示すように段階的に回動する水受部保持部２４を設けることにより、回動水受部７の設定角度を段階的に調整できるようにしている。本実施例では回動水受部７を垂直・斜め・略水平の３段階に設定できるようになっている。回動水受部７を垂直に設定した場合は、蒸発器２での結露水２１が全て凝縮器３に滴下するため、部屋の温度上昇の低減量は最大となり、温度上昇をおさえた局所冷房の運転が可能となる。回動水受部７を垂直から３０度傾けた場合は、蒸発器２からの結露水２１の４０〜５０％が凝縮器３に滴下するため、部屋の温度上昇を抑えつつ、局所冷房や除湿能力を充分に発揮できる運転が可能となる。回動水受部７を略水平に設定した場合は、蒸発器２での結露水２１はすべて排水タンク１４に導かれ、凝縮器３には供給されず室内の温度上昇も最大となるが、除湿能力は最大となる局所冷房運転である。
【００３７】
上記構成において、室内相対湿度が低く室温が高い場合は、使用者は操作ノブ（図示せず）を操作して回動水受部７を垂直に設定することにより、室温上昇を抑えた局所冷房を行うことが出来る。また室内相対湿度が高く室温も高い場合は、使用者は操作ノブを操作して回動水受部７を垂直から３０度傾けて設定することにより、室温上昇を抑えた局所冷房をおこないつつ、室内湿度を低下させることが出来る。また室内相対湿度が高く室温が低い場合は、使用者は操作ノブを操作して回動水受部７を略水平に設定することにより急速に部屋の湿度を低減することが可能となる。なお本実施例では回動水受部７の設定角度を段階的に調整したが、連続的に調整できるようにしてもよく、きめ細かく室温上昇の抑制を行うことができる。
【００３８】
（実施例３）
図７に示すように回動水受部７の回動軸にステッピングモーター等のモーター２５を連結し、制御部１５によりモーター２５は回転角度を細かく制御されるものである。本体１には室内温度および室内湿度を検出する温度センサー１５ａおよび湿度センサー１５ｂが設けられている。制御部１５は（表１）に示す温湿度テーブルを記憶しており、前記温度センサー１５ａと湿度センサー１５ｂの検出値を前記温湿度テーブルに照合することにより運転モードを決定する。すなわち、制御部１５は運転モードに応じてモーター２５を自動的に回動させ、回動水受部７の傾斜角度を設定できるようになっている。
【００３９】
【表１】
2004197991.tif 000003
【００４０】
上記構成において、まず室内相対湿度、室内温度とも高い場合は、制御部１５は可動水受部７を回動して斜め方向に固定し、室温の温度上昇を控えた除湿が可能な運転（共用モード）とする。次に室内温度が高く室内相対湿度が低い場合は、回動水受部７を垂直に固定し、温度上昇を低減させた運転（冷風モード）とし、また室内温度が低く室内相対湿度が高い場合は、回動水受部７を回動して略水平に固定し、除湿が最大になる運転（除湿モード）とする。さらに室内温度と室内相対湿度が共に低い場合は送風機のみの運転または全て停止する。このように、回動水受部７を室内の温湿度の合わせて自動で傾斜角度を設定できるので、室内の温湿度環境を悪化させずに除湿機の適正な運転を自動的に行うことができる。
【００４１】
（実施例４）
図１、図２および図４に示すように本体１内の一側面に蒸発器２と凝縮器３を上下に配置し、蒸発器２と凝縮器３の間に回動水受部７が挿入されている。蒸発器２の側方に蒸発器側送風機４を設け、凝縮器３の側方に凝縮器側送風機５を設け、蒸発器側送風機４と凝縮器側送風機５は上下に重ねて配置されている。上部にある蒸発器側送風機４の吸気側は蒸発器２に面し、吐出側はダクトに接続され、本体１前面の蒸発器側吹出口１８に連通している。下部にある凝縮器側送風機４の吸気側は凝縮器３に面し、吐出側はダクトに接続され、本体１天面の凝縮器側吹出口１９に連通している。
【００４２】
上記構成において、本体１内には蒸発器２と凝縮器３が上下に配置され、また蒸発器２と凝縮器３の側方に蒸発器側送風機４と凝縮器側送風機５が上下に配置されているため、本体１の厚み方向の寸法は蒸発器２の厚み寸法と蒸発器側送風機４の厚み寸法の合計寸法、または凝縮器３の厚み寸法と凝縮器側送風機５の厚み寸法の合計寸法のいずれかに依存するが、いずれにしても小さな厚み寸法内に収納することができ、本体１を薄型化することができる。
【００４３】
従って本体を薄型化することにより、設置面積が少なく便利に使用できるとともにスリムでデザイン性の優れた外観を呈することができる。
【００４４】
なお本実施例では本体の厚み寸法は前方から見て左右の巾寸法としている。
【００４５】
（実施例５）
図８に示すように凝縮器側送風機５の吐出風路内に温風ダンパー２６を設け、その温風ダンパー２６は回動軸（図示せず）に接続されたモーター２７の駆動により開閉するものである。蒸発器２には配管温度を検知する配管温度センサー２ａが付設されている。
【００４６】
上記構成において室内温度が低下して配管温度センサー２ａの検知温度より蒸発器２に着霜したと判断できる場合に、制御部１５は温風ダンパー２６を開き、凝縮器３で暖められた空気の一部または全部を蒸発器２に送り、蒸発器２の霜を溶かす。さらに制御部１５は配管温度センサー２ａの検出値により蒸発器２の霜が溶けたと判断した場合に、温風ダンパー２６を閉じるものである。
【００４７】
このように蒸発器２に配管温度センサー２ａを設けて温風ダンパー２６の開閉で蒸発器２に生じる霜を簡単に除去することが出来る。なお従来の除霜方式では、図１３に示すように２方弁１２０を用いて、冷凍サイクルの切り替えによるホットガスの蒸発器２への供給により除霜するものであるが、本実施例では冷凍サイクルが複雑なバイパス配管や２方弁１２０のない標準配管となるため、安価なデフロスト機構が実現できる。
【００４８】
【発明の効果】
以上の実施例から明らかなように、本発明によれば蒸発器からの結露水が凝縮器に滴下可能に配置するとともに、結露水の遮断または通過を選択できる水量調整手段を設けることにより、蒸発器で凝縮した結露水を水量調節手段により凝縮器に散布することが出来、また水量調整手段により蒸発器で発生した結露水を排水タンクに導くことができることとしたものであり、冷風が必要な時は、吹出口より室内空気を除湿した冷風を供給し、かつ排気口より排出される排気温度の上昇を抑制できるという効果のある多機能除湿機を提供できる。
【００４９】
また、水量調整手段に、回転ダンパーを設けることにより、排気温度の上昇を抑える構造が簡易的で安価にできるという効果のある多機能除湿機を提供できる。
【００５０】
また、水量調整手段は、凝縮器へ滴下する結露水量が多段階または無段階に調整可能とすることにより、凝縮器に滴下する結露水量を微調節することが可能となり、室内の温湿度条件に応じた調節により室内温度上昇の抑制と除湿量の適正化ができるという効果のある多機能除湿機を提供できる。
【００５１】
また、温度センサーと湿度センサーの検出信号を受けて水量調整手段を制御する制御部を有することにより、検出した温湿度データーに基づき制御部が水量調節手段を駆動制御して凝縮水に散布する結露水量を調節することができ自動的に室内温度上昇の抑制と除湿量の適正化ができるという効果のある多機能除湿機を提供できる。
【００５２】
また、蒸発器に通風する第１の送風手段と、凝縮器に通風する第２の送風手段を有し、第１の送風手段と第２の送風手段を上下に重ねて配することにより、本体の厚み寸法が小さくなり、設置場所を取らず、デザイン性の優れた多機能除湿機を提供できる。
【００５３】
また、第２の送風手段の吹出風路に風路変更手段を設け、この風路変更手段により風路を切り換えて蒸発器に送風可能としたことにより室内空気が低温で蒸発器に霜が付着した場合でも、簡単かつ安価な構造でデフロストが可能となる効果のある多能除湿機を提供できる。
【図面の簡単な説明】
【図１】本発明の実施例１および実施例４の多機能除湿機の内部構造を示す透視斜視図
【図２】同多機能除湿機の吸気と吐出を示す外観斜視図
【図３】同実施例１の多機能除湿機の冷凍サイクル図
【図４】（イ）同実施例１および実施例４の多機能除湿機の回動水受部の動きを示す断面図
（ロ）同回動水受部を略水平に設定したときの断面図
（ハ）同回動水受部を垂直に設定したときの断面図
【図５】同実施例１の散水穴を追加したときの断面図
【図６】（イ）同実施例２の回動水受部を略水平に設定したときの断面図
（ロ）同回動水受部を斜め方向に設定したときの断面図
（ハ）同回動水受部を垂直に設定したときの断面図
【図７】同実施例３の回動水受部の動きを示す断面図
【図８】（イ）同実施例５の温風ダンパー閉鎖時の断面図
（ロ）同温風ダンパー開放時の断面図
【図９】従来の多機能除湿機の内部構造を示す透視斜視図
【図１０】同吸気と吐出を示す外観斜視図
【図１１】同冷凍サイクル図
【符号の説明】１      本体
２      蒸発器
３      凝縮器
４      蒸発器側送風機（第１の送風手段）
５      凝縮器側送風機（第２の送風手段）
６      圧縮機
７      回動水受部（水量調整手段）
１５    電装部
１５ａ  温度センサー
１５ｂ  湿度センサー
２０    減圧器
２１    結露水
２６    温風ダンパー（風路変更手段）
【図１】
2004197991.tif 000004
【図２】
2004197991.tif 000005
【図３】
2004197991.tif 000006
【図４】
2004197991.tif 000007
【図５】
2004197991.tif 000008
【図６】
2004197991.tif 000009
【図７】
2004197991.tif 000010
【図８】
2004197991.tif 000011
【図９】
2004197991.tif 000012
【図１０】
2004197991.tif 000013
【図１１】
2004197991.tif 000014